(57)【要約】  【課題】様々な２次元衣服型紙データに、衣服型紙の構造情報として型紙種別と、型紙構成線分データに衣服構造線分情報と、衣服型紙縫合情報と、の入力をオペレータ負担無く入力可能とする。  【解決手段】３次元人台データ上に２次元衣服型紙データを、ポインティングデバイスを利用し配置する操作方法と、衣服型紙構造認識データ（XML記述方式）を利用した認識処理を行うことで、様々な２次元衣服型紙データに衣服型紙の構造情報として型紙種別と、型紙構成線分データに衣服構造線分情報と、衣服型紙縫合情報と、の入力を行う。  【選択図】図４
2007138317.tif 000002
【特許請求の範囲】
【請求項１】
３次元人台データを利用し、２次元衣服型紙データに衣服型紙構造の情報を記録する情報入力装置であって、２次元衣服型紙データの選択指示、配置指示、３次元人台データの選択指示、衣服型紙構造認識データの選択指示、認識命令を入力するための入力部と、
２次元衣服型紙データを読み込み、衣服を構成する生地種別に分類表示し、
２次元衣服型紙データの種別により対応する３次元人台データを読み表示する表示部と、
２次元衣服型紙データの表示状態の変更、３次元人台データの表示状態の変更、
配置指示を受けて、２次元衣服型紙データを３次元人台データの定義されている３次元位置へ配置し、３次元人台データ上での衣服型紙データの配置状態から衣服型紙構造認識データを決定し、衣服型紙構造情報を２次元衣服型紙データに設定する制御部と、
を備えた３次元衣服型紙データ構造情報入力装置。
【請求項２】
２次元衣服型紙データの３次元人台データにおける位置から、個々の２次元衣服型紙データの衣服型紙の種別の認識処理と、３次元人台データに記録された衣服構造線データから個々の２次元衣服型紙データを構成する線分データに衣服構造線分の認識処理と、個々の２次元衣服型紙データ同士の縫合関係の認識処理をコンピュータに行わせるためのプログラムであって、
２次元衣服型紙データを、３次元人台データ上に配置することで、衣服型紙としての構造認識処理をコンピュータに行なわせるための２次元衣服型紙データ構造認識プログラム。
【請求項３】
請求項１の３次元衣服型紙データ構造情報入力装置または請求項２の２次元衣服型紙データ構造認識プログラムにおいて、２次元衣服型紙データは１着分または複数着の衣服型紙データであって、衣服の種別を限定しない衣服型紙データであることを特徴とする。
【請求項４】
請求項１の３次元衣服型紙データ構造情報入力装置または請求項２の２次元衣服型紙データ構造認識プログラムにおいて、３次元人台データは衣服型紙データを配置するためのデータであって、衣服の種別により異なる３次元形状であることを特徴とするもの。
【請求項５】
３次元の複数の曲面データを有する３次元人台データであって、個々の曲面データに識別情報と、個々の曲面データを構成する線分データに衣服構造上の識別情報と、
を記録していることを特徴とするもの。
【請求項６】
請求項５の３次元人台データにおいて、３次元人台データには衣服のゆとり量を含む３次元人台データと、衣服のゆとり量を含まない３次元人台データの２つの３次元人台データを記録していることを特徴とするもの。
【請求項７】
請求項１の３次元衣服型紙データ構造情報入力装置において、３次元人台データの表示部には、請求項６の３次元人台データのうち衣服のゆとり量を含まないデータのみを表示することを特徴とするもの。
【請求項８】
請求項１の３次元衣服型紙データ構造情報入力装置において、２次元衣服型紙データの配置には、ポインティングデバイスを利用し、２次元衣服型紙データ表示部に表示された２次元衣服型紙データを、３次元人台データ表示部上に配置することを特徴とするもの。
【請求項９】
請求項１の３次元衣服型紙データ構造情報入力装置において、請求項８の２次元衣服型紙データの配置には、請求項５の衣服のゆとり量を含む３次元人台データ上に配置することを特徴とするもの。
【請求項１０】
請求項１の３次元衣服型紙データ構造情報入力装置において、２次元衣服型紙データの種別により、３次元人台データの選択ができることを特徴とするもの。
【請求項１１】
請求項１の３次元衣服型紙データ構造情報入力装置において、３次元人台表示部に配置表示された２次元衣服型紙データは、２次元衣服型紙表示部で識別表示されることを特徴とするもの。
【請求項１２】
請求項２の２次元衣服型紙データ構造認識プログラムにおいて、３次元人台データ上に配置された２次元衣服型紙データ種別の認識方法と、２次元衣服型紙データを構成する線分データの衣服型紙構造線としての認識方法と、２次元衣服型紙データ同士の縫合関係の認識方法と、
を衣服型紙構造認識データとして記録していることを特徴とするもの。
【請求項１３】
請求項２の２次元衣服型紙データ構造認識プログラムにおいて、請求項１２の衣服型紙構造認識データを選択できることを特徴とするもの。
【発明の詳細な説明】
【技術分野】
【０００１】
本発明は、２次元衣服型紙データに衣服構造上の情報を付与するための装置に関し、特に２次元衣服型紙データに衣服構造上の分類情報の入力と、２次元衣服型紙データを構成する線分データに衣服構造上の分類情報の入力と、２次元衣服型紙データ同士の縫合情報の入力の効率化を図る技術に関するものである。
【背景技術】
【０００２】
衣服型紙データをコンピュータを利用して作成するシステムとして、アパレルＣＡＤシステムが知られている。
このシステムは、衣服デザインの仕様に合わせ、図形データを編集し衣服型紙を衣服型紙データとして設計するものである。
【０００３】
また、アパレルＣＡＤシステムでは、衣服型紙データに衣服型紙の形状だけでなく、衣服型紙としての種別や、衣服型紙データを構成する線分データの衣服構造上の種別や、衣服型紙データ同士の縫合関係をデータして記録するとこで、衣服のデザイン仕様変更に対応した衣服型紙データの変更や、３次元での可視化表示や、衣服生産の効率化のために利用されている。
【０００４】
図１に、アパレルＣＡＤシステムにおける衣服型紙の種別を認識する場合の操作手順を、フローチャートで示す。
【０００５】
まず、衣服型紙データの種別を情報設定する２次元衣服型紙データを読み込み（ステップＳ１）、コンピュータ画面上に２次元衣服型紙データを表示する（ステップＳ２）。衣服型紙の種別データを読み込み（ステップＳ３）、コンピュータ画面上に衣服型紙種別の一覧を表示する（ステップＳ４）。オペレータは、コンピュータ画面上に表示された衣服型紙データから、任意の衣服型紙データを選択し（ステップＳ５）、該当する衣服型紙種別データを一覧から選択し（ステップＳ６）、選択された衣服型紙データから衣服型紙構造データに衣服型紙種別データを設定する（ステップＳ７）。
【０００６】
上記の操作を繰り返し、全ての衣服型紙データに衣服型紙種別データが設定されたか判断し（ステップＳ８）、操作を完了する。
【０００７】
次に、図２に、アパレルＣＡＤシステムにおける衣服型紙データを構成する線分データに、衣服構造線分種別データを設定する操作手順を、フローチャートで示す。２次元衣服型紙データの読み込み部分については、前述の図１でのステップＳ１、ステップＳ２にて、既に完了していることを前提としている。
【０００８】
オペレータは、衣服構造線分種別データを読み込み（ステップＳ９）、コンピュータ画面上に衣服構造線分種別の一覧を表示する（ステップＳ１０）。オペレータは、コンピュータ画面上に表示された衣服型紙データから、任意の衣服型紙データを構成する線分データを選択し（ステップＳ１１）、該当する衣服構造線分種別データを一覧から選択し（ステップＳ１２）、選択された線分データから衣服型紙構造データに衣服構造線分種別データを設定する（ステップＳ１３）。
【０００９】
上記の操作を繰り返し、全ての衣服型紙データを構成する線分データに衣服構造線分種別データが設定されたか判断し（ステップＳ１４）、操作を完了する。
【００１０】
図３に、アパレルＣＡＤシステムにおける衣服型紙データ同士の縫合データを設定する操作手順を、フローチャートで示す。２次元衣服型紙データの読み込み部分については、前述の図１でのステップＳ１、ステップＳ２にて、既に完了していることを前提としている。
【００１１】
オペレータは、縫合対象となる衣服型紙データから複数の型紙データを選択し（ステップＳ１５）、続いて縫合関係となる線分データを複数選択し（ステップＳ１６）、衣服型紙構造データに縫合データを設定する（ステップＳ１７）。
【００１２】
上記の操作を繰り返し、全ての衣服型紙データの縫合関係になる箇所に縫合データが設定されたか判断し（ステップＳ１８）、操作を完了する。
【発明の開示】
【発明が解決しようとする課題】
【００１３】
しかしながら、上記のような従来のアパレルCADシステムでは、衣服型紙データに衣服型紙の種別や衣服構造線分種別や、衣服型紙同士の縫合関係を設定する場合、その都度オペレータが衣服の種別を認識し、衣服型紙データに一箇所づつ情報を設定する処理する必要があり、作業効率がよくないという問題があった。
【００１４】
また同様に、アパレルＣＡＤシステムの衣服型紙データに衣服型紙の種別や衣服構造線分種別や、衣服型紙同士の縫合情報を入力する場合、オペレータの認識漏れにより、関連する衣服型紙データの全ての箇所への情報入力が困難であり、衣服型紙データとしての整合性が失われる問題があった。
【００１５】
そこで、この発明は、アパレルＣＡＤシステムの、衣服型紙データに衣服型紙の種別データと、衣服型紙の構造線データ入力の効率化を図ることのできる技術の提供と、縫合される衣服型紙データの認識により、衣服型紙データに縫合情報入力の効率化と、衣服型紙同士の縫合関係を確認する技術を提供することを目的とする。
【課題を解決するための手段】
【００１６】
この発明に係る３次元衣服型紙データ構造情報入力装置および２次元衣服型紙データ構造認識プログラムは、２次元衣服型紙データの衣服型紙構造を認識し、衣服型紙構造情報を入力する装置であって、
２次元衣服型紙データの選択命令、配置命令と、３次元人台データの選択命令と、衣服型紙構造認識データの選択命令と、衣服型紙構造の認識命令を入力する入力部と、
２次元衣服型紙データおよび３次元人台データを表示する表示部と、２次元衣服型紙データの表示制御と、３次元人台データの表示制御と、２次元衣服型紙データを３次元人台データ上へ配置する制御と、衣服型紙構造認識データを利用し衣服型紙構造を認識する制御部とを備えていることを主要な特徴とする
【発明の効果】
【００１７】
（１）したがって、２次元衣服型紙データをポインティングデバイスを使用し、３次元人台データに配置することで衣服型紙構造情報を２次元衣服型紙データに入力することができ、情報入力の効率がよい。また、複数の３次元人台データと、複数の認識方法を衣服型紙構造認識データとして記録できるので、様々な２次元型紙データの衣服構造情報入力に対応できる。
【００１８】
（２）この発明では、２次元衣服型紙データは１着分または複数着の衣服型紙データであって、衣服の種別を限定しない衣服型紙データであることを特徴としている。したがって、汎用性の高い情報入力を実現できる。
【００１９】
（３）この発明では、３次元人台データは衣服型紙データを配置するためのデータであって、衣服の種別により異なる３次元形状であることを特徴としている。したがって、２次元衣服型紙データと３次元人台データの対応関係が分かりやすい。
【００２０】
（４）この発明では、３次元の複数の曲面データを有する３次元人台データであって、個々の曲面データに識別情報と、個々の曲面データを構成する線分データに衣服構造上の識別情報と、
を記録していることを特徴としている。したがって、様々な２次元衣服型紙データに対応した、３次元人台データを作成できる。
【００２１】
（５）この発明では、３次元人台データには衣服のゆとり量を含む３次元人台データと、衣服のゆとり量を含まない３次元人台データの２つの３次元人台データを記録していることを特徴としている。したがって、ゆとりを含む２次元衣服型紙データへ、情報入力を効率的に行うことができる。
【００２２】
（６）この発明では、３次元人台データの表示部には、３次元人台データのうち衣服のゆとり量を含まないデータのみを表示することを特徴としている。したがって、オペレータは本装置に表示される３次元人台データに、現実の人台と同様の視覚的効果を得られるため、操作性に違和感がない。
【００２３】
（７）この発明では、２次元衣服型紙データの配置には、ポインティングデバイスを利用し、２次元衣服型紙データ表示部に表示された２次元衣服型紙データを、３次元人台データ表示部上に配置することを特徴としている。したがって、オペレータは２次元衣服型紙データを３次元人台データに配置する場合、現実の型紙を人台へ配置するのと同様の視覚的効果を得られるため、操作性に違和感がない。
【００２４】
（８）この発明では、２次元衣服型紙データの種別により、３次元人台データの選択ができることを特徴としている。したがって、汎用性の高い情報入力を実現できる。
【００２５】
（９）この発明では、３次元人台表示部に配置表示された２次元衣服型紙データは、２次元衣服型紙表示部で識別表示されることを特徴としている。したがって、オペレータは３次元人台表示部に配置済みの型紙データであるかを容易に判断でき、効率的に配置ができる。
【００２６】
（１０）この発明では、３次元人台データ上に配置された２次元衣服型紙データ種別の認識方法と、２次元衣服型紙データを構成する線分データの衣服型紙構造線としての認識方法と、２次元衣服型紙データ同士の縫合関係の認識方法と、を衣服型紙構造認識データとして記録していることを特徴としている。したがって、識別方法を容易に修正することができ、汎用性の高い識別方法を実現できる。
【００２７】
（１１）この発明では、衣服型紙構造認識データを選択できることを特徴としている。したがって、多様な２次元型紙データへの情報入力を効率的にできる。
【００２８】
「入力部」とは、少なくとも2次元衣服型紙データの選択指示、配置指示と、3次元人台データの選択指示と、衣服型紙構造認識データの選択指示と、認識命令を制御部に与えるためのインターフェイスをいい、キーボード、マウス、音声入力装置など、人間とのインターフェイスをとるものだけでなく、インターフェイス回路、インターフェイスプログラムなど、他のプログラムや他のコンピュータなどとのインターフェイスをとるものを含む概念である。実施形態では、ポインティングデバイス６２およびキーボード６１がこれに該当する。
【００２９】
「表示部」とは、少なくとも2次元衣服型紙データを、衣服を構成する生地種別に分類表示と、3次元人台データを表示するためのものをいい、実施形態では、ディスプレイ５１がこれに該当する。
【００３０】
「制御部」とは、少なくとも2次元衣服型紙データおよび3次元人台データおよび衣服型紙構造認識データに対する制御を行うものをいい、実施形態では、２次元衣服型紙データ表示制御部３１、３次元人台データ表示制御部３２、２次元衣服型紙データ配置制御部３３、衣服型紙構造認識データ設定制御部３４がこれに該当する。
【００３１】
「選択指示」とは、２次元衣服型紙データ中から任意の型紙データや型紙データを構成する線分データを選択すること、３次元人台データを選択すること、衣服型紙構造認識データを選択することなどを含むデータ選択の概念である。実施形態では、ポインティングデバイスによる入力によって、選択指示が実施される。
【００３２】
「配置命令」とは、２次元衣服型紙データを順次３次元人台上に配置するための命令である。実施形態では、ポインティングデバイスにて２次元衣服型紙データを移動指示することによって、配置命令が生成される。
【００３３】
「認識命令」とは、３次元人台上に配置された２次元衣服型紙データに衣服型紙の構造情報を設定するための命令である。実施形態では、ポインティングデバイスにて指示することによって、認識命令が生成される。
【００３４】
「プログラム」とは、コンピュータによって直接実行可能なものだけでなく、ハードディスクなどにインストールすることによって実行可能となるものも含む概念である。また、圧縮されたり、暗号化されたりしたものも含む概念である。
【発明を実施するための最良の形態】
【００３５】
−目次−
１．実施形態
（１）３次元衣服型紙データ構造情報入力装置の全体構成と動作概要
（２）２次元衣服型紙データの構成
（３）３次元人台データの構成
（４）衣服型紙構造認識データの構成
【００３６】
１．実施形態
（１）３次元衣服型紙データ構造情報入力装置の全体構成と動作概要
図４に、この発明の一実施形態による３次元衣服型紙データ構造情報入力装置の全体構成を示す。入力部６は、２次元衣服型紙データの選択指示、配置指示、３次元人台データの選択指示、衣服型紙構造認識データの選択指示と、認識命令などを入力するためのものである。記憶装置４には、２次元衣服型紙データ４１、３次元人台データ４２、衣服型紙構造認識データ４３が格納されている。
【００３７】
記憶装置４に記憶されている２次元衣服型紙データ４１を、選択指示２次元衣服型紙データ表示制御部３１は、２次元衣服型紙データメモリ２１に読み込み、表示部５に２次元衣服型紙データを表示する。
【００３８】
ユーザは、表示部５に表示された２次元衣服型紙データを見て、記憶装置４に記憶されている３次元人台データ４２から、対象となる３次元人台データを３次元人台データ表示制御部３２に入力部６から選択指示し、３次元人台データメモリ２２に読み込み、表示部５に３次元人台データを同時表示する。
【００３９】
ユーザは、表示部５に表示された２次元衣服型紙データを順次、表示部５に同時表示された３次元人台データ上に入力部６から配置命令を入力し、表示部５に２次元衣服型紙データの配置された３次元人台データを表示する。
【００４０】
上記の配置命令を繰り返した結果、対象とする２次元衣服型紙データを３次元人台データ上に配置し終わると、ユーザは、衣服型紙構造認識データ設定制御部３４に衣服型紙構造認識データ４３の選択命令と、認識命令を入力部６から指示し、２次元衣服型紙データ４１に“衣服型紙構造データ”を設定する。
【００４１】
(２)２次元衣服型紙データの構成
図５に、２次元衣服型紙データ４１の構成を示す。２次元衣服型紙データ４１は、一着の衣服を構成する２次元衣服型紙データ４１であり、衣服型紙形状データ領域７１と、衣服型紙構造データ領域７３から構成されており、衣服型紙構造データ領域７３は、型紙種別データ領域７４と、型紙構造線分データ領域７６と、型紙縫合データ領域７８から構成されている。衣服型紙形状データ領域７１には、衣服型紙形状を表す線分データ７２が記録され、型紙種別データ領域７４には、衣服型紙データの種別を認識する型紙種別識別子データ７５、型紙構造線分データ領域７６には、衣服型紙データの形状を構成する線分データ７２の種別を認識する構造線分識別子データ７７、型紙縫合データ領域７８には、衣服型紙データ同士の縫合関係を表す型紙縫合線分データ７９が記録されている。
【００４２】
なお、図６は、２次元衣服型紙データのディスプレイ５１での表示例であるが、他の２次元衣服型紙データも同じようにデータが記録されている。
【００４３】
(３)３次元人台データの構成
図７に、３次元人台データ４２の構成を示す。３次元人台データ４２は、衣服のゆとり量を含まない３次元人台データ８１と、衣服のゆとり量を含む３次元人台データ８２の２つの３次元人台から構成されている。おのおのの３次元人台データには、衣服型紙の構造を示す構造線分識別子８５を有する構造線（B-spline）データ 
８４と、構造線データ８４の４線分で囲まれた構成曲面識別子８６を有する構成曲面（Coons曲面）データ８７が記録されている。また、３次元人台データの構成曲面識別子８６には、３次元人台データの左右半身を識別するため、中心から右側に“Ｒ”、左側に“Ｌ”と、３次元人台データの前中心から後ろ方向に分割された方向に“Ａ”から順のアルファベットと、人台の上から下方向に“１”から順の数値と、を組み合わせた識別子で定義されている。
【００４４】
なお、図７の衣服のゆとり量を含む３次元人台データ８２は、衣服のゆとり量を含まない３次元人台データ８１を変形し作成されたものであり、他の衣服型紙に対応した３次元人台データも同じようにデータが記録されている。
【００４５】
(４)衣服型紙構造認識データの構成
図８、図９、図１０に、衣服型紙構造認識データ４３の構成を示す。衣服型紙構造認識データ４３は、ＸＭＬ記述方式で記録されており、図８では、２次元衣服型紙データ４１の型紙種別識別子データ７５を入力するための認識方法を、衣服型紙種別認識ＸＭＬデータ９１として、図９では、２次元衣服型紙データ４１の構造線分識別子データ７７を入力するための認識方法を、衣服型紙構造線分認識ＸＭＬデータ９４として、図１０では、２次元衣服型紙データ４１の型紙縫合データ７９を入力するための認識方法を、衣服型紙縫合認識ＸＭＬデータ９７として記録している。
【００４６】
なお、図８、図９、図１０に示された例は、特定の２次元衣服型紙データの衣服型紙構造を認識するためのものであり、他の２次元衣服型紙データの衣服型紙構造を認識する場合についても、同じようにＸＭＬ記述方式で記録される。
【実施例１】
【００４７】
?目次?
１．実施例１
(１) ２次元衣服型紙データの３次元人台データ上配置処理
(２) ３次元人台データ上配置済み２次元衣服型紙データの衣服型紙構造認識処理
【００４８】
１．実施例１
(１) ２次元衣服型紙データの３次元人台データ上配置処理
図１１に、本装置における２次元衣服型紙データの３次元人台データ上配置処理をフローチャートにて示す。本処理の制御は、制御部３の２次元衣服型紙データ表示制御部３１と、３次元人台データ表示制御部３２と、２次元衣服型紙データ配置制御部３３が行う。
【００４９】
まず、オペレータは、記憶装置４から処理対象とする２次元衣服型紙データ４１の読み込み命令を、２次元衣服型紙データ表示制御部３１に行い、２次元衣服型紙データメモリ２１に読み込む（ステップS２０）。
【００５０】
２次元衣服型紙データメモリ２１に読み込まれた２次元衣服型紙データを、２次元衣服型紙データ表示制御部３１は、ディスプレイ５１に表示する（ステップS２１）（図１２）。
【００５１】
次に、オペレータは、ディスプレイ５１に表示された２次元衣服型紙データに対応した３次元人台データ４２の選択指示を、ポインティングデバイス６２から入力する（ステップS２２）。
【００５２】
３次元人台データ４２の選択指示を受けた３次元人台表示制御部３２は、選択対象となる３次元人台データ４２の一覧をディスプレイ５１に表示する（ステップＳ２３）（図１３）。
【００５３】
次に、オペレータは、ディスプレイ５１に表示された３次元人台データ一覧（図１３）から、配置対象とする３次元人台データの選択指示を、ポインティングデバイス６２から入力する（ステップS２４）。
【００５４】
選択された３次元人台データ４２を３次元人台表示制御部３２は、３次元人台データメモリ２２に読み込む（ステップS２５）。なお、３次元人台データメモリ２２には、衣服のゆとり量を含まない３次元人台データ８１と、衣服のゆとり量を含む３次元人台データ８２の両方が読み込まれる。
【００５５】
３次元人台データメモリ２２に読み込まれた３次元人台データを３次元人台表示制御部３２は、ディスプレイ５１に２次元衣服型紙データと並べて表示する（ステップＳ２６）（図１４Ａ）。なお、ディスプレイ５１には、衣服のゆとり量を含まない３次元人台データ８１が表示され、衣服のゆとり量を含む３次元人台データ８２は、透過状態で表示される。（図１４Ｂ）
【００５６】
次に、オペレータは、ディスプレイ５１に表示された２次元衣服型紙データの１つを、３次元人台データ上に配置する配置命令を、ポインティングデバイス６２を用い２次元衣服型紙データ配置制御部３３に入力する（ステップＳ２７）（図１５）。配置命令の入力方法は、ディスプレイ５１に表示されている２次元衣服型紙データの１つを選択指示し、ディスプレイ５１に表示されている３次元人台データ表示位置に移動させる操作で入力する。なお、この実施形態では、ポインティングデバイスにマウスを用い、ディスプレイ５１に表示されている２次元型紙データの１つの型紙データ上でマウスのボタンを押し、マウスのボタンを押したままでディスプレイ５１に表示されている３次元人台データ位置へ移動後、マウスのボタンを離す操作で入力した。この実施形態は、“ドラッグアンド 
ドロップ”と呼ばれる、標準的なプログラム操作方法と一致している。
【００５７】
配置命令を受けた２次元衣服型紙データ配置制御部３３は、選択指示された２次元衣服型紙データの線分データの座標値から、最小座標値と最大座標値を見つけ矩形領域を計算したのち、その矩形領域をさらにＹ座標方向に一定の間隔で区切った帯状の矩形領域を計算する（図１６Ａ）。なお、この実施形態では、２次元衣服型紙をＹ座標方向に４cm程度の間隔になるよう、等分割にした帯状の矩形領域を計算している。さらに、計算された帯状の矩形領域を、衣服のゆとり量を含む３次元人データ位置に座標変換する。（ステップS２８）（図１６Ｂ）
【００５８】
衣服のゆとり量を含む３次元人データ位置に座標変換された２次元衣服型紙データを、３次元人台表示制御部３２は、ディスプレイ５１に表示する。（ステップＳ２９）（図１６Ｂ）また、３次元人台データ状に配置表示された２次元衣服型紙データに、２次元衣服型紙データ表示制御部３１は、配置済みであることを明示する文字列“３D”を、ディスプレイ５１に同時に表示する。
【００５９】
オペレータは、上記のディスプレイ５１の表示内容から、必要な２次元衣服型紙データが全て３次元人台データ上に配置されたか判断し（ステップS３０）、さらに３次元人台データ上に配置が必要な２次元衣服型紙データがある場合は、上記配置命令（ステップＳ２７）を繰り返えし、全ての必要な２次元衣服型紙データを、３次元人台データ上に配置する。（図１７）
【００６０】
(２) ３次元人台データ上配置済み２次元衣服型紙データの衣服型紙構造認識処理
図１８に、本装置における３次元人台データ上配置済み２次元衣服型紙データの衣服型紙構造認識処理をフローチャートにて示す。また、フローチャート内の２次元衣服型紙データ型紙種別認識処理（ステップＳ３２）、２次元衣服型紙データ型紙構造線分認識処理（ステップＳ３３）、２次元衣服型紙データ型紙縫合認識処理（ステップＳ３４）の処理については，図１９、図２０、図２１のフローチャートにて示す。また、本処理は、実施例１の（１）２次元衣服型紙データの３次元人台データ上配置処理後に、実施されるものであり、本処理の制御は、制御部３の衣服型紙構造認識データ設定制御部３４が行う。
【００６１】
まず、オペレーターは、ポインティングデバイス６２から認識命令を入力し、衣服型紙構造認識処理を開始する。（ステップ３１）
【００６２】
次に、３次元人台データ上に配置された２次元衣服型紙データの型紙種別の認識処理が行われ、型紙種別識別子データ領域７５に型紙種別識別子９２が入力される。図１９に、本装置での２次元衣服型紙データ型紙種別認識処理をフローチャートにて示す。
【００６３】
まず、衣服型紙種別認識用のＸＭＬデータ９１を記憶装置４の衣服型紙構造認識データ４３から衣服型紙構造認識データメモリ２３に読み込み、衣服型紙種別認識の準備をおこなう（ステップＳ４０）（図８）。
【００６４】
次に、型紙構造線分種別データ領域７６に入力を行う２次元衣服型紙データを、３次元人台データ上に配置された中から準備する（ステップＳ４１）。
【００６５】
衣服型紙構造認識データメモリ２３上に読み込まれた衣服型紙種別認識用のＸＭＬデータ９１を１行解析し、認識対象とした２次元衣服型紙データに該当するかを判定する（ステップＳ４２）。図８の衣服型紙種別認識ＸＭＬデータ９１の１行目では、型紙種別識別子９２の“前身頃”は、３次元人台データの構成曲面識別子８６に“Ａ”と“Ｂ”を含む構成曲面データ８７の面積の４０％以上を占める２次元衣服型紙データと解析される。この解析内容は、衣服型紙種別認識ＸＭＬキーワード定義９３を用い解析される。
【００６６】
認識内容が該当するまで衣服型紙種別認識用のＸＭＬデータを順に解析し、該当する型紙種別識別子９２を見つけた場合、型紙種別データ領域７４に認識対象の２次元衣服型紙データと型紙種別識別子９２を入力する（ステップＳ４５）。
【００６７】
上記の認識処理を、全ての３次元人台データ上に配置された２次元衣服型紙データに対して行い、２次元衣服型紙データ型紙種別認識処理を完了し、２次元衣服型紙データ型紙構造線分認識処理（ステップＳ３３）に進む。図２０に２次元衣服型紙データ型紙構造線分認識処理をフローチャートにて示す。
【００６８】
まず、衣服型紙構造線分認識ＸＭＬデータ９４を記憶装置４の衣服型紙構造認識データ４３から衣服型紙構造認識データメモリ２３に読み込み、衣服型紙構造線分認識の準備をおこなう（ステップＳ５０）（図９）
【００６９】
次に、型紙構造線分種別データ領域７６に入力を行う２次元衣服型紙データを、３次元人台データ上に配置された中から準備する（ステップＳ５１）。
【００７０】
衣服型紙構造認識データメモリ２３上に読み込まれた衣服型紙構造線分認識ＸＭＬデータ９４を１行解析し認識準備を行う（ステップＳ５２）。続いて、対象とする２次元衣服型紙データの衣服型紙形状データ領域７１に登録されている線分データ７２を順に取り出し、認識対象とする衣服構造線分に該当するかを判定する（ステップＳ５３）。図９の衣服型紙構造線分認識ＸＭＬデータ９４の１行目では、構造線分識別子９５の“ＣＦＬ”は、３次元人台データの構成曲面識別子８６に“Ａ”を含む構成曲面データの領域にあり、最も距離の近い３次元人台データの構造線分識別子８５が“ＣＦ”であり、２０度未満の角度で連続する長さ４０ｍｍ以上の線分データと解析される。この解析内容は、衣服型紙構造線認識ＸＭＬキーワード定義９５を用い解析される。
【００７１】
認識内容と適合する線分データ７２を見つけるまで判定を行い、適合する線分データ７２を見つけた場合、型紙構造線分データ領域７６に構造線分識別子９５を入力する（ステップＳ５５）。
【００７２】
上記の認識処理を、全ての３次元人台データ上に配置された２次元衣服型紙データに対して行い、２次元衣服型紙データ型紙構造線分認識処理を完了し、２次元衣服型紙データ型紙縫合認識処理（ステップＳ３４）に進む。図２１に２次元衣服型紙データ型紙構造線分認識処理をフローチャートにて示す。
【００７３】
まず、衣服型紙縫合認識ＸＭＬデータ９７を記憶装置４の衣服型紙構造認識データ４３から衣服型紙構造認識データメモリ２３に読み込み、衣服型紙縫合認識の準備をおこなう（ステップＳ６０）（図１０）
【００７４】
次に、型紙縫合線分データ領域７９に入力を行う２次元衣服型紙データを、３次元人台データ上に配置された中から準備する（ステップＳ６１）。
【００７５】
衣服型紙構造認識データメモリ２３上に読み込まれた衣服型紙縫合認識ＸＭＬデータ９７を１行解析し、認識準備を行う（ステップＳ６２）。続いて、認識対象とする２次元衣服型紙データを、型紙種別識別子データ７５と構造線分識別子データ７５から認識し、縫合関係となるかを判定する（ステップＳ６３）。図１０の衣服型紙縫合認識ＸＭＬデータ９７の１行目では、型紙種別識別識別子データ７５に“前身頃”が認識されていて構造線分識別子データ７７に“RSIDE”が認識されている線分データと、型紙種別識別識別子データ７５に”脇見頃“が認識されていて構造線分識別子データ７７に”RSIDE”が認識されている線分同士が、縫合されると解析される。この解析内容は、衣服型紙縫合認識ＸＭＬキーワード定義９９を用い解析される。
【００７６】
認識内容と適合するデータが、型紙種別データ領域７４と型紙構造線分種別データ領域７６に在ると判断された場合、型紙縫合データ領域７８に型紙縫合線分データ７９を入力する（ステップＳ６６）。
【００７７】
上記の認識処理を、全ての衣服型紙縫合認識ＸＭＬデータに対して行い、２次元衣服型紙データ型紙縫合認識処理を完了し、２次元衣服型紙データの衣服型紙構造認識処理を終了する（図２２）。
【００７８】
以上のようにして、様々な２次元衣服型紙データを３次元人台上に配置することで、容易に衣服の構造情報を２次元衣服型紙データに入力することができる。また、構造情報を認識方法についてXML形式のデータとして記録しているため、衣服種別ごとに適切な認識方法を追加記述したり修正記述することができる。
【産業上の利用可能性】
【００７９】
衣服製作の過程において、生地素材の物性を考慮した３次元での衣服形状可視化装置での、２次元衣服型紙の組み立て情報の入力としても適用できる。
【図面の簡単な説明】
【００８０】
【図１】従来技術での２次元衣服型紙データ型紙種別データ入力フローチャートである。（背景技術）
【図２】従来技術での２次元衣服型紙データ型紙構造線分種別データ入力フローチャートである。（背景技術）
【図３】従来技術での２次元衣服型紙データ型紙縫合データの入力フローチャートである。（背景技術）
【図４】この発明のハードウエアとプログラムの全体構成を示す図である。（実施形態）
【図５】２次元衣服型紙データの構成を示す図である。（実施形態）
【図６】２次元衣服型紙データの構成のディスプレイ表示例を示す図である。（実施形態）
【図７】３次元人台データの構成を示す図である。（実施形態）
【図８】衣服型紙種別認識ＸＭＬ形式データの例を示す図である。（実施形態）
【図９】衣服型紙構造線分認識ＸＭＬ形式データを示す図である。（実施形態）
【図１０】衣服型紙縫合認識ＸＭＬ形式データを示す図である。）
【図１１】２次元衣服型紙データの３次元人台データ上配置するフローチャートをである。（実施例１）
【図１２】この装置での２次元衣服型紙データの画面表示例を示す図である。（実施例１）
【図１３】この装置での３次元人台データ選択画面データ画面表示例を示す図である。（実施例１）
【図１４】この装置での３次元人台データ画面表示例を示す図である。（実施例１）
【図１５】この装置での２次元衣服型紙データの３次元人台データ配置命令の画面表示例を示す図である。（実施例１）
【図１６】２次元衣服型紙データの３次元人台データ上配置方法を示す図である。（実施例１）
【図１７】この装置での２次元衣服型紙データの３次元人台データ配置済み画面表示例を示す図である。（実施例１）
【図１８】２次元衣服型紙データの衣服型紙構造認識処理フローチャートである。（実施例１）
【図１９】２次元衣服型紙データ型紙種別認識プログラムのフローチャートである。（実施例１）
【図２０】２次元衣服型紙データ型紙構造線分認識プログラムのフローチャートである。（実施例１）
【図２１】２次元衣服型紙データ型紙縫合認識プログラムのフローチャートである。（実施例１）
【図２２】この装置での２次元衣服型紙データの衣服型紙構造認識完了画面表示例を示す図である。（実施例１）
【符号の説明】
【００８１】
１    コンピュータ
２    メモリ
３    制御部
４    記憶装置
５    表示部
６    入力部
２１  ２次元衣服型紙データメモリ
２２  ３次元人台データメモリ
２３  衣服型紙構造認識データメモリ
３１  ２次元衣服型紙データ表示制御部（プログラム）
３２  ３次元人台データ表示制御部（プログラム）
３３  ２次元衣服型紙データ配置制御部（プログラム）
３４  衣服型紙構造認識データ設定制御部（プログラム）
４１  ２次元衣服型紙データ
４２  ３次元人台データ
４３  衣服型紙構造認識データ
５１  ディスプレイ
６１  キーボード
６２  ポインティングデバイス
７１  衣服型紙形状データ領域
７２  線分データ
７３  衣服型紙構造データ領域
７４  型紙種別データ領域
７５  型紙種別識別子データ領域
７６  型紙構造線分種別データ領域
７７  構造線分識別子データ領域
７８  型紙縫合データ領域
７９  型紙縫合線分データ領域
８１  衣服のゆとり量を含まない３次元人台データ
８２  衣服のゆとり量を含む３次元人台データ
８４  構造線（B-spline）データ
８５  構造線分識別子
８６  構成曲面識別子
８７  構成曲面（Coons曲面）データ
９１  衣服型紙種別認識ＸＭＬデータ
９２  型紙種別識別子
９３  衣服型紙種別認識ＸＭＬキーワード定義
９４  衣服型紙構造線分認識ＸＭＬデータ
９５  衣服型紙構造線認識ＸＭＬキーワード定義
９７  衣服型紙縫合認識ＸＭＬデータ
９９  衣服型紙縫合認識ＸＭＬキーワード定義
【図１】
2007138317.tif 000003
【図２】
2007138317.tif 000004
【図３】
2007138317.tif 000005
【図４】
2007138317.tif 000006
【図５】
2007138317.tif 000007
【図６】
2007138317.tif 000008
【図７】
2007138317.tif 000009
【図８】
2007138317.tif 000010
【図９】
2007138317.tif 000011
【図１０】
2007138317.tif 000012
【図１１】
2007138317.tif 000013
【図１２】
2007138317.tif 000014
【図１３】
2007138317.tif 000015
【図１４】
2007138317.tif 000016
【図１５】
2007138317.tif 000017
【図１６】
2007138317.tif 000018
【図１７】
2007138317.tif 000019
【図１８】
2007138317.tif 000020
【図１９】
2007138317.tif 000021
【図２０】
2007138317.tif 000022
【図２１】
2007138317.tif 000023
【図２２】
2007138317.tif 000024